(57)【特許請求の範囲】
【請求項１】
下肢装具利用者が装着する特殊靴であって、
靴ソール体の上に設けられたアッパー部が、
右外側を被覆し、前記靴ソール体の右側縁と接続された右周辺アッパー部と、
左外側を被覆し、前記靴ソール体の左側縁と接続された左周辺アッパー部と、
つま先から甲付近を被覆し、前記靴ソール体の先端縁で接続された甲アッパー部と、
踵周囲を被覆し、前記靴ソール体の踵縁で接続された後アッパー部と、
前記右周辺アッパー部、前記左周辺アッパー部、後アッパー部の間を着脱自在に橋梁する橋梁部を備え、
前記右周辺アッパー部、前記左周辺アッパー部、前記甲アッパー部および前記後アッパー部がそれぞれ独立した構造を備え、
前記後アッパー部の前端付近に弾性体のみで伸縮可能に構成された部分を備え、
前記後アッパー部が、前記右周辺アッパー部、前記左周辺アッパー部、前記甲アッパー部に対して独立して後方へ傾倒する運動が可能な構造であることを特徴とする特殊靴。
【請求項２】
前記後アッパー部が前記靴ソール体から後下方へ傾倒する移動が可能な構造となっていることを特徴とする請求項１に記載の特殊靴。
【請求項３】
前記後アッパー部の後端が前記靴ソール体の後端よりも後ろ側に位置しており、前記後アッパー部の後端付近が下方に不動固定には支持されておらず、前記後アッパー部と前記靴ソール体との接続部分の部材には芯材がなく可撓性または屈曲性ある皮片で構成された構造であることを特徴とする請求項１または２に記載の特殊靴。
【請求項４】
前記橋梁部が、前記右周辺アッパー部と前記左周辺アッパー部の両者間を橋梁し、かつその橋梁する長さが調整可能となっている左右橋梁部を備え、前記右周辺アッパー部と前記左周辺アッパー部同士の相対的距離が調整可能となっていることを特徴とする請求項１から３のいずれかに記載の特殊靴。
【請求項５】
前記橋梁部が、前記右周辺アッパー部と前記後アッパー部の間、および、前記左周辺アッパー部と前記後アッパー部の間をそれぞれ橋梁し、かつその橋梁する長さが調整可能となっている前後橋梁部を備え、前記後アッパー部の、前記右周辺アッパー部および前記左周辺アッパー部に対する相対的距離が調整可能になっていることを特徴とする請求項１から４のいずれかに記載の特殊靴。
【発明の詳細な説明】
【技術分野】
【０００１】
本発明は、健常者向けの靴の装着が難しい下肢装具利用者などが装着する特殊靴であって、脱ぎ履きが容易な構造を持った特殊靴に関する。
【背景技術】
【０００２】
下肢障害者や足を曲げにくい高齢者などにとっては、下肢装具を装着したまま外出する際には下肢装具を装着したまま靴を履く必要があるが、靴が歩行中に脱げないように下肢装具を履いた足に対して靴をフィットするように調整することは容易ではないという問題があった。また、介助者が履かせる場合でも履かせづらいという問題があった。
靴の脱ぎ履きを容易とするためには、靴の開口を広く確保することが必要である。そこで、従来技術において、開口を広く確保できるよう工夫した靴が知られている。
【０００３】
例えば、特許文献１（特開２００２−１５９３０７号公報）には、図６に示すように、アッパー部にジッパーを設けて、ソール体に到るまで展開可能にした履物が開示されている。
この特許文献１の靴によれば、ジッパーを開けてアッパー部を展開状態にすると開口が拡がるので、ジッパーを開けてアッパー部を展開状態にして開口を拡げて利用者の足をソール体の上に載せ、その後ジッパーを閉じてアッパー部の開口を緊締すれば、靴を比較的容易に履くことができるものとなっている。
【０００４】
また、例えば、特許文献２（特開２００９−１３６５００号公報）には、図７に示すように、足の爪先を包み込む爪先収容部と踵を包み込む踵収容部とを備えたアッパー部と、足裏の爪先側で踏み付けられる踏付部と踵を支える踵部とを備えたソール部と、前記アッパー部とソール部との間に中底部が配される履物であって、アッパー部は、爪先収容部と踵収容部が分離して形成され、ソール部は、踏付部と踵部が、所定の隙間を持って分離して形成されている靴が開示されている。また踵収容部には、足の甲を帯状に包み込むストラップ部を有している。さらにソール体が踏付部と踵部の間が上下に屈曲できる構造となっており、アッパー部も爪先収容部と踵収容部に分離している構造となっている。
この特許文献２の靴によれば、ストラップ部を開ければ、靴の開口が拡がるので、ストラップ部を開けて靴開口を展開状態にして利用者の足をソール体の上に載せ、さらにソール体が上下に屈曲できる構造となっているのでソール体を下側に屈曲させればさらにアッパー部の爪先収容部と踵収容部の間の開口を拡げることができる。その後ストラップ部を閉じてアッパー部の開口を緊締すれば、靴を比較的容易に履くことができるものとなっている。
【０００５】
【特許文献１】特開２００２−１５９３０７号公報
【特許文献２】特開２００９−１３６５００号公報
【発明の開示】
【発明が解決しようとする課題】
【０００６】
上記従来技術における靴は、足首が曲がりにくい状況にある利用者にとって、靴の開口を拡げることにより、靴の装着を容易にしようという工夫がみられるものであった。
しかし、下肢装具利用者にとっては、上記従来技術の靴では、靴の装着が十分に容易になったものとは言えない問題があった。先天的または後天的な事情により下肢装具を装着したまま生活する利用者である場合、そもそも素足に靴を装着するものではなく、外出する際にも下肢装具を装着したまま靴を履く必要がある。下肢装具は大きさや形状などが多種多様であり、一般的な靴ではそのままでは装着しづらい。
【０００７】
従来技術の特許文献１に開示された靴によれば、ジッパーを開けてアッパー部を展開状態にして開口を拡げた状態としても、下肢装具を装着したままではジッパーを閉じることが容易ではない。また、下肢装具を装着した状態の足に沿うように靴のサイズや形状を特別注文で作成すればジッパーを閉じるものが製作し得るが、下肢装具を装着した状態の足に沿うようにジッパーの開け閉めを行うには下肢装具を装着した状態の３次元的な立体形状のアッパーに対してジッパーを設ける必要があり、製作が難しくなるという問題がある。
【０００８】
また、従来技術の特許文献２に開示された靴によれば、ストラップ部を開くことで開口は拡がり、さらに、ソール体を下側に屈曲させてアッパー部の爪先収容部と踵収容部の間の開口を拡げることができるが、ソール部の構造が弱くなってしまい、下肢装具を装着した状態の足で歩行する際にはかえって不安定で歩行しづらいものとなってしまう問題がある。
【０００９】
そこで、上記課題を解決するため、本発明は、ソール体はしっかり安定した形状を保ちつつ、下肢装具を装着した状態の足に対して、靴の装着時にはアッパー部のうち踵部分を収納する後アッパー部に工夫を加えることにより靴の開口を大きく拡径させることができ、靴の装着後には下肢装具を装着した状態の足に沿うように包むことができる特殊靴を提供することを目的とする。
【課題を解決するための手段】
【００１０】
上記目的を達成するため、本発明の特殊靴は、下肢装具利用者が装着する特殊靴であって、靴ソール体の上に設けられたアッパー部が、右外側を被覆し、前記靴ソール体の右側縁と接続された右周辺アッパー部と、左外側を被覆し、前記靴ソール体の左側縁と接続された左周辺アッパー部と、つま先から甲付近を被覆し、前記靴ソール体の先端縁で接続された甲アッパー部と、踵周囲を被覆し、前記靴ソール体の踵縁で接続された後アッパー部と、前記右周辺アッパー部、前記左周辺アッパー部、後アッパー部の間を着脱自在に橋梁する橋梁部を備え、前記右周辺アッパー部、前記左周辺アッパー部、前記甲アッパー部および前記後アッパー部がそれぞれ独立した構造を備え、前記後アッパー部が、前記右周辺アッパー部、前記左周辺アッパー部、前記甲アッパー部に対して独立して後方へ傾倒する運動が可能な構造であることを特徴とする特殊靴である。
【００１１】
上記構成により、前記右周辺アッパー部、前記左周辺アッパー部、前記甲アッパー部および前記後アッパー部がそれぞれ独立した構造で、４者をそれぞれ靴ソール体の外方方向へ拡げることができるとともに、さらに、後アッパー部が独立して後方へ傾倒する運動が可能な構造であるため、さらに靴の開口を拡径でき、下肢装具利用者が下肢装具を装着したままでも靴の開口を介して靴を履きやすくなる。
【００１２】
さらに、上記構成において、前記後アッパー部の前端付近が弾性体のみで伸縮可能に構成されたものであれば、後アッパー部の前端付近が弾性体の伸びに応じて靴ソール体から後下方へ傾倒する移動が可能となる。
【００１３】
また、前記後アッパー部の後端が前記靴ソール体の後端よりも後ろ側に位置しており、前記後アッパー部の後端付近が下方に不動固定には支持されておらず、前記後アッパー部と前記靴ソール体との接続部分の部材には芯材がなく可撓性または屈曲性ある皮片で構成された構造とすれば、後アッパー部が後方のみならず後方下側に向けて傾倒しやすくなり、さらに靴の開口の拡径が可能となる。
【００１４】
次に、橋梁部の工夫として、その長さの調整が自在とすることで、前記右周辺アッパー部、前記左周辺アッパー部、前記甲アッパー部および前記後アッパー部の相対距離を自在に調整でき、靴の開口の拡径が容易となっている。
【００１５】
例えば、橋梁部が、左周辺アッパー部と右周辺アッパー部の両者間を橋梁し、かつその橋梁する長さが調整可能となっているものがあり得る。橋梁部の構成としては様々な構成があり得る。例えば、橋梁部が左周辺アッパー部または右周辺アッパー部の一方に締結されており、他方に向けて単方向へ橋梁する構造がある。また、橋梁部が左周辺アッパー部または右周辺アッパー部の一方に締結されており、他方の右周辺アッパー部または左周辺アッパー部に取り付けられている金属鐶に通し入れて折り戻して再び当該左周辺アッパー部または右周辺アッパー部の一方へ引き戻して橋梁する環状構造がありうる。終端が面ファスナーにより着脱自在な構造とすれば、左周辺アッパー部と右周辺アッパー部を橋梁する橋梁部の長さが自在に調整できるものとなる。なお、この橋梁部が前後２列設けられている構造もあり得る。
【００１６】
また、橋梁部が、左周辺アッパー部と後アッパー部の間、および、右周辺アッパー部と後アッパー部の間をそれぞれ橋梁し、かつその橋梁する長さが調整可能となっているものがあり得る。
橋梁部の構造は様々なものがあり得る。例えば、橋梁部が後アッパー部から右周辺アッパー部および左周辺アッパー部に向けて単方向へ橋梁する構造がある。また例えば、橋梁部が後アッパー部に締結されており、前方にある右周辺アッパー部および左周辺アッパー部に取り付けられている金属鐶に通し入れて折り戻して再び当該後アッパー部に引き戻す環状構造もあり得る。終端が面ファスナーにより着脱自在とすれば、左周辺アッパー部と後アッパー部の間、および、右周辺アッパー部と後アッパー部の間を橋梁する橋梁部の長さが自在に調整できるものとなる。
【００１７】
このように、左周辺アッパー部と右周辺アッパー部の両者間の橋梁部の長さ、左周辺アッパー部と後アッパー部の間の橋梁部の長さ、および、右周辺アッパー部と後アッパー部の間の橋梁部の長さをそれぞれ自在に調整可能なものとすれば、それぞれ独立に靴ソール体の外方方向へ十二分に開いて拡径したあと、下肢装具利用者の甲に沿わせて被覆し、その被覆状態を橋梁部によりその長さを調整しつつ面ファスナーで締結すれば、下肢装具利用者の甲に沿わせた被覆が可能となる。
【発明の効果】
【００１８】
本発明にかかる特殊靴によれば、右周辺アッパー部、左周辺アッパー部、甲アッパー部および後アッパー部がそれぞれ独立した構造で、４者をそれぞれ靴ソール体の外方方向へ拡げることができるとともに、さらに、後アッパー部が独立して後方へ傾倒する運動が可能となり、靴の開口を十二分に拡径でき、下肢装具利用者が下肢装具を装着したままでも靴が履きやすくなる。
【図面の簡単な説明】
【００１９】
【図１】実施例１にかかる特殊靴１００の構成例を簡単に示した図である。
【図２】右周辺アッパー部１２０、左周辺アッパー部１３０、甲アッパー部１４０をそれぞれ外方に向けて開口を拡径させた様子を簡単に示した図である。
【図３】後アッパー部１５０の構造が分かりやすいように取り出して描いた図である。
【図４】左右橋梁部１６１の構成例を分かりやすく示した図である。
【図５】前後橋梁部１６２の構成例を分かりやすく示した図である。
【図６】従来技術における特許文献１（特開２００２−１５９３０７号公報）に開示されている履物を示す図である。
【図７】従来技術における特許文献２（特開２００９−１３６５００号公報）に開示されている履物を示す図である。
【発明を実施するための最良の形態】
【００２０】
以下、本発明の特殊靴の実施例を説明する。なお、本発明はこれらの実施例に限定されるものではない。
【実施例１】
【００２１】
本発明に係る特殊靴１００の構成例を、図面を参照しながら説明する。
図１は、実施例１にかかる特殊靴１００の構成例を簡単に示した図である。なお、図１は左足用の特殊靴１００の構成例を示しているが、右足用の特殊靴１００は左右対称に考えれば良い。もっとも足に障害があり大きく左右差がある場合は大きさなど左右で異なり得る場合があることは言うまでもない。以下、各図においては左足用の特殊靴１００を図示する。
図２は、実施例１にかかる特殊靴１００の構成例において、右周辺アッパー部１２０、左周辺アッパー部１３０、甲アッパー部１４０をそれぞれ外方に向けて開口を拡径させた様子を簡単に示した図である。
図３は、後アッパー部１５０の構造が分かりやすいように取り出して描いた図である。
【００２２】
図１に示すように、実施例１にかかる特殊靴１００は、靴ソール体１１０、右周辺アッパー部１２０、左周辺アッパー部１３０、甲アッパー部１４０、後アッパー部１５０、橋梁部１６０を備えた構造となっている。
なお、靴の細かい部材などについては、記載を省略している場合がある。
【００２３】
靴ソール体１１０は、靴の底部を支持する構造体である。靴底体、インソール体など層状になっている場合が多い。素材は限定されないが、ゴム、ウレタン、合皮など様々な部材があり得る。
【００２４】
右周辺アッパー部１２０は、靴の右外側を被覆する部材であり、その底面が靴ソール体１１０の右側縁と接続されており、底面以外は靴ソール体１１０には接続されていない。そのため、図２に示すように、右周辺アッパー部１２０を靴ソール体１１０の右外側で外方に開くようにすれば、靴の開口が大きく拡径できる構造となっている。素材は限定されないが、合皮、布、不織布など様々な部材があり得る。
【００２５】
左周辺アッパー部１３０は、靴の左外側を被覆する部材であり、その底面が靴ソール体１１０の左側縁と接続されており、底面以外は靴ソール体１１０には接続されていない。そのため、図２に示すように、左周辺アッパー部１３０を靴ソール体１１０の左外側で外方に開くようにすれば、靴の開口が大きく拡径できる構造となっている。素材は限定されないが、合皮、布、不織布など様々な部材があり得る。
【００２６】
甲アッパー部１４０は、つま先から甲付近を被覆する部材であり、その先端底面が靴ソール体の先端縁と接続されており、先端底面以外は靴ソール体１１０には接続されていない。そのため、図２に示すように、甲アッパー部１４０を靴ソール体１１０の先端側で外方（前方）に開くようにすれば大きく拡径できる構造となっている。素材は限定されないが、合皮、布、不織布など様々な部材があり得る。
【００２７】
後アッパー部１５０は、踵周囲を被覆する部材であり、靴ソール体の踵縁と接続されている。ここで、図３（ａ）に示すように、後アッパー部１５０と靴ソール体１１０との接続部分のうち、後アッパー部１５０の左右の前端付近が弾性体１５１のみで伸縮可能に構成されている。弾性体のみで接続されているため、後アッパー部１５０の前端付近のみが上方に伸張することができ、図３（ｂ）に示すように、後アッパー部１５０が靴ソール体１１０から後方へ傾倒する移動が可能な構造となっている。
【００２８】
さらに、図３（ｂ）に示すように、後アッパー部１５０の後端が靴ソール体１１０の後端よりも後ろ側に位置している。つまり、後アッパー部１５０の後端は靴ソール体１１０により不動固定に支持されているのではなく、後アッパー部１５０の後端付近は下方に可動に支持されている。また、後アッパー部と靴ソール体との接続部分の部材には芯材がなく可撓性または屈曲性ある皮片で構成された構造となっている。そのため、図３（ｂ）に示すように、後アッパー部１５０が靴ソール体１１０から後下方へ傾倒するような相対移動が可能な構造となっている。後下方へ傾倒する角度が大きなものでなくとも、靴の開口が拡径する上では技術的効果が大きい。後アッパー部１５０の素材は限定されないが、合皮、布、不織布など様々な部材があり得る。
【００２９】
橋梁部１６０は、右周辺アッパー部１２０、左周辺アッパー部１３０、甲部１４０、後アッパー部１５０の間の相対的距離を調整自在に橋梁する部材である。この例では、２つの左右橋梁部１６１と、２つの前後橋梁部１６２が設けられた例となっている。
【００３０】
左右橋梁部１６１は、右周辺アッパー部１２０と左周辺アッパー部１３０との間を橋梁するものである。
図４は、左右橋梁部１６１の構成例を分かりやすく示した図である。
左右橋梁部１６１の構造としては様々なものがあり得る。図４に示す構造は、前後２つの左右橋梁部１６１が設けられている例であるが、第１列の左右橋梁部１６１ａの構造と第２列の左右橋梁部１６１ｂの構造が異なる構造例となっている。
【００３１】
第１列の左右橋梁部１６１ａの構造は、右周辺アッパー部１２０または左周辺アッパー部１３０の一方から他方へ単方向に橋梁するものである。つまり、図４の例では、始端が右周辺アッパー部１２０の上面に取り付けられており、終端は左周辺アッパー部１３０の上面に対して脱着可能な構造となっている。この例では、左右橋梁部１６１ａの終端の裏側に面ファスナーが設けられており、左周辺アッパー部１３０の上面の一部にも面ファスナーが取り付けられており、この両者の面ファスナー同士が係着することにより脱着可能に取り付けられる。面ファスナーの長さにマージンが十分にあれば、左右橋梁部１６１ａが係着する右周辺アッパー部１２０と左周辺アッパー部１３０の間の相対的距離を調整することができる。
【００３２】
第２列の左右橋梁部１６１ｂの構造は、右周辺アッパー部１２０または左周辺アッパー部１３０の一方から他方を介して再度折り戻るよう環状に橋梁するものである。つまり、図４の例では、始端が左周辺アッパー部１３０の上面に取り付けられており、右周辺アッパー部１２０に取り付けられている鐶部材（ナス鐶など）を経由して左周辺アッパー部１３０側へ折り戻り、終端が左周辺アッパー部１３０の上面に対して脱着可能な構造となっている。この例では、第２列の左右橋梁部１６１ｂの終端の裏側に面ファスナーが設けられており、左周辺アッパー部１３０の上面の一部にも面ファスナーが取り付けられており、この両者の面ファスナー同士が係着することにより脱着可能に取り付けられる。面ファスナーの長さにマージンが十分にあれば、第２列の左右橋梁部１６１ｂが係着する右周辺アッパー部１２０と左周辺アッパー部１３０の間の相対的距離を調整することができる。
【００３３】
次に、前後橋梁部１６２は、後アッパー部１５０と右周辺アッパー部１２０との間、また、後アッパー部１５０と左周辺アッパー部１３０との間を橋梁するものである。
図５は、前後橋梁部１６２の構成例を分かりやすく示した図である。
前後橋梁部１６２の構造としては様々なものがあり得る。図５に示す構造は、左右２つの前後橋梁部１６２が設けられている例であるが、左側の前後橋梁部１６２ａの構造と右側の前後橋梁部１６２ｂの構造が同じ構造例となっているが、異なるものであっても良い。図５に示した構造例では、左側の前後橋梁部１６２ａは、始端が後アッパー部１５０の上面の一部に取り付けられており、左周辺アッパー部１３０の鐶部材（例えばナス鐶）を経由して再度後アッパー部１５０側へ折り戻り、終端が後アッパー部１５０の上面に対して脱着可能な構造となっている。この例では、前後橋梁部１６２ａの終端の裏側に面ファスナーが設けられており、後アッパー部１５０の上面の一部にも面ファスナーが取り付けられており、この両者の面ファスナー同士が係着することにより脱着可能に取り付けられる。面ファスナーの長さにマージンが十分にあれば、前後橋梁部１６１ａが係着する後アッパー部１５０と左周辺アッパー部１３０の間の相対的距離を調整することができる。
【００３４】
右側の前後橋梁部１６２ｂの構造も同様で良い。
左側の前後橋梁部１６２ａと右側の前後橋梁部１６２ｂが独立しているので、踵付近の左右の緊締具合も下肢装着具を装着した状態に応じて左右異なるように調整することも可能となる。
【００３５】
以上示した本発明の特殊靴１００の装着手順を簡単にまとめておく。
まず、下肢装着具の装着状態や特殊靴１００に要求する開口の拡径の具合にもよるが、図１の状態から、左右橋梁部１６１、前後橋梁部１６２を緩め、右周辺アッパー部１２０、左周辺アッパー部１３０、甲アッパー部１４０を外方へ開き、下肢装着具を装着したままで足を載せ置く。なお、拡径の最大時は、図１の状態から図２の状態となる。
【００３６】
さらに、図３に示すように、後アッパー部１５０を靴ソール体１１０から後下方へ傾倒させて靴の開口をさらに拡径する。この状態であれば、下肢装着具を装着したままであっても足を靴ソール体１１０に対して正しい位置に載せ置くことが可能となる。
【００３７】
次に、後に傾倒していた後アッパー部１５０を戻し、さらに、外方へ開いていた右周辺アッパー部１２０、左周辺アッパー部１３０、甲アッパー部１４０を、それぞれ下肢装着具を装着した利用者の足に沿わせるように内側へ戻した上で、図４および図５に示すように、左右橋梁部１６１、前後橋梁部１６２により、右周辺アッパー部１２０、左周辺アッパー部１３０、甲アッパー部１４０、後アッパー部１５０の相対的距離を調整して締結する。
【００３８】
左右橋梁部１６１、前後橋梁部１６２により締結した状態であれば、歩行をしても容易には脱げない程度に下肢装着具を装着した利用者の足にフィットする状態とすることができる。
【００３９】
以上、本発明の特殊靴の構成例における好ましい実施形態を図示して説明してきたが、本発明の技術的範囲を逸脱することなく種々の変更が可能であることは理解されるであろう。
【産業上の利用可能性】
【００４０】
本発明の特殊靴は、下肢装具利用者が装着する靴として広く適用することができる。
【符号の説明】
【００４１】
１００  特殊靴
１１０  靴ソール体
１２０  右周辺アッパー部
１３０  左周辺アッパー部
１４０  甲アッパー部
１５０  後アッパー部
１６０  橋梁部
１６１  左右橋梁部
１６２  前後橋梁部
【要約】 
【課題】  アッパー部の工夫により靴の開口を大きく拡径させることができ、下肢装具を装着したままの状態の足に沿うように包みこむ特殊靴を提供する。
【解決手段】  アッパー部が、右外側を被覆する右周辺アッパー部１２０と、左外側を被覆する左周辺アッパー部１３０と、つま先から甲付近を被覆する甲アッパー部１４０と、踵周囲を被覆して前記靴ソール体の踵縁で接続された後アッパー部１５０を備えている。右周辺アッパー部１２０、左周辺アッパー部１３０、甲アッパー部１４０および後アッパー部１５０がそれぞれ独立した構造を備え、後アッパー部１５０が、右周辺アッパー部１２０、左周辺アッパー部１３０、甲アッパー部１４０に対して独立した構造であり、後アッパー部１５０の前端付近が弾性体のみで伸縮可能に構成されており、後アッパー部１５０が靴ソール体１１０から後下方へ傾倒可能な構造となっている。
【選択図】  図１【図１】
0006765033.tif 000002
【図２】
0006765033.tif 000003
【図３】
0006765033.tif 000004
【図４】
0006765033.tif 000005
【図５】
0006765033.tif 000006
【図６】
0006765033.tif 000007
【図７】
0006765033.tif 000008